Podtech/llm-jp-corpus-v4-ja_patent huggingface dataset:
【手続補正書】
【提出日】平成28年7月25日(2016.7.25)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ゲート電極層と、
ゲート絶縁膜を介して前記ゲート電極と重なる領域を有し、インジウムを含む酸化物層と、
前記酸化物層に接して設けられた一対の電極層と、を有し、
前記酸化物層は、第１の酸化物層、第２の酸化物層、及び第３の酸化物層が順に積層された構造を有し、
前記第２の酸化物層におけるインジウムの含有率は、前記第１及び第３の酸化物層におけるインジウムの含有率より高いことを特徴とする半導体装置。
【請求項２】
ゲート電極層と、
ゲート絶縁膜を介して前記ゲート電極と重なる領域を有し、インジウムを含む酸化物層と、
前記酸化物層に接して設けられた一対の電極層と、を有し、
前記酸化物層は、第１の酸化物層、第２の酸化物層、及び第３の酸化物層が順に積層された構造を有し、
前記第２の酸化物層におけるインジウムの含有率は、前記第１及び第３の酸化物層におけるインジウムの含有率より高く、
前記第２の酸化物層の導電率は、前記第１及び第３の酸化物層の導電率より高いことを特徴とする半導体装置。
【請求項３】
請求項１又は２において、
前記第２の酸化物層は、組成の異なる酸化物半導体層が複数積層されていることを特徴とする半導体装置。
【請求項４】
請求項１乃至３のいずれか一において、
前記第１及び第３の酸化物層に含まれるシリコンの濃度は、３×１０１８／ｃｍ３以下であり、
前記第１及び第３の酸化物層に含まれる炭素の濃度は、３×１０１８／ｃｍ３以下であることを特徴とする半導体装置。
【手続補正書】
【提出日】平成28年7月26日(2016.7.26)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ｐチャネル型の第１のトランジスタと、ｎチャネル型の第２のトランジスタと、酸化物半導体膜を有する第３のトランジスタと、を有し、
前記第１のトランジスタのゲートは、第１の配線に電気的に接続されており、
前記第２のトランジスタのゲートは、前記第１の配線に電気的に接続されており、
前記第３のトランジスタのゲートは、第２の配線に電気的に接続されており、
前記第１のトランジスタのソース又はドレインの一方は、第３の配線に電気的に接続されており、
前記第１のトランジスタのソース又はドレインの他方は、前記第２のトランジスタのソース又はドレインの一方に電気的に接続されており、
前記第２のトランジスタのソース又はドレインの他方は、前記第３のトランジスタのソース又はドレインの一方に電気的に接続されており、
前記第３のトランジスタのソース又はドレインの他方は、第４の配線に電気的に接続されている半導体装置であって、
前記第１のトランジスタ及び前記第２のトランジスタの上方に絶縁膜が位置し、
前記絶縁膜の上方に前記第３のトランジスタが位置する半導体装置。
【請求項２】
請求項１において、
前記第３のトランジスタの上方に第２の絶縁膜が位置し、
前記第２の絶縁膜の上方に前記第１の配線、前記第２の配線、及び前記第４の配線が位置する半導体装置。
【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
オーステンパ球状黒鉛鋳鉄物品の製造方法であって、
ダクタイル鉄合金組成物の溶湯を準備する工程と、
鋳型キャビティーを有する鋳型内に溶湯を注いで鋳造品を形成する工程と、
鋳型内の鋳型キャビティーの近傍に配置された１以上の流体導管を通して冷却剤を鋳型に通して循環させることにより鋳造品をオーステンパ温度に冷却する工程であって、冷却によって溶湯を凝固させ、ダクタイル鉄物品を形成することを含む、工程と、
鋳造品を加熱して、オースフェライトを含むミクロ組織を含むオーステンパ球状黒鉛鋳鉄物品を形成するのに充分な時間オーステンパ温度を維持する工程と
を含む方法。
【請求項２】
さらに、加熱後に流体導管を通して鋳型を通る冷却剤の循環によりオーステンパ球状黒鉛鋳鉄物品を冷却することを含む、請求項１記載の方法。
【請求項３】
ミクロ組織が固溶体強化されたオースフェライトを含む、請求項２記載の方法。
【請求項４】
ダクタイル鉄合金組成物が、合金の重量を基準にして３．０〜４．５重量％のケイ素、２．０〜３．０重量％のニッケル、０．２重量％以下のマンガン、０．０３重量％以下のクロム、０．０１重量％以下のバナジウムを含み、残部が鉄及び不可避不純物である、請求項１乃至請求項３のいずれか１項記載の方法。
【請求項５】
ダクタイル鉄合金組成物が０．００１〜０．２重量％のマンガン、０．００１〜０．０３重量％のクロム、及び０．００１〜０．０１重量％のバナジウムを含む、請求項４記載の方法。
【請求項６】
ダクタイル鉄合金組成物が、冷却されたままのミクロ組織が固溶体強化されたオースフェライトを含むように選択される、請求項４又は請求項５記載の方法。
【請求項７】
冷却剤を循環させることが、流体導管を用いて鋳型に通して冷却用流体を循環させることを含み、冷却用流体がダクタイル鉄物品から熱を除去するように構成される、請求項１乃至請求項６のいずれか１項記載の方法。
【請求項８】
冷却用流体がオーステンパ温度より低い温度を有する、請求項７記載の方法。
【請求項９】
冷却用流体が低圧蒸気、液体の水、溶融塩若しくは溶融金属、又はこれらの組合せからなる、請求項７又は請求項８記載の方法。
【請求項１０】
加熱することが、流体導管を用いて鋳型に通して加熱用流体を循環させることを含み、加熱用流体がダクタイル鉄物品に熱を提供するように設定されている、請求項１乃至請求項９のいずれか１項記載の方法。
【請求項１１】
加熱用流体が高圧蒸気、溶融塩若しくは金属、又はこれらの組合せからなる、請求項１０記載の方法。
【請求項１２】
加熱用流体がオーステンパ温度以上の温度を有する、請求項１０又は請求項１１記載の方法。
【請求項１３】
鋳型が長手方向のシャフトを有しており、導管がシャフト方向に延在する導管を含む、請求項１乃至請求項１２のいずれか１項記載の方法。
【請求項１４】
導管が円周方向に延在する導管を含む、請求項１乃至請求項１３のいずれか１項記載の方法。
【請求項１５】
オーステンパ球状黒鉛鋳鉄物品が風力タービンシャフトからなる、請求項１乃至請求項１４のいずれか１項記載の方法。
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
内面と、
前記内面に対向する外面であって、正圧面、該正圧面に対向する負圧面、前記正圧面と前記負圧面との間の淀み線、及び前記正圧面と前記負圧面との間にあり且つ前記淀み線より下流にある後縁を含んでいる外面と、
前記外面に設けられた複数の溝セグメントであって、各溝セグメントが、前記外面の一部を含む１以上の壁により、半径方向に隣接する溝セグメントから隔てられている、複数の溝セグメントと、
各溝セグメントに設けられた単一の冷却通路であって、前記内面から対応する溝セグメント及び前記外面へ流体連通させる単一の冷却通路と、
を有するエアーフォイル。
【請求項２】
プラットフォームと、
前記プラットフォームに接続された外面と、
前記外面に設けられた複数の溝セグメントであって、各溝セグメントが、前記外面の一部を含む１以上の壁により、半径方向に隣接する溝セグメントから隔てられている、複数の溝セグメントと、
各溝セグメントに設けられた単一の冷却通路であって、対応する溝セグメント及び前記外面に冷却媒体を供給する単一の冷却通路と、
を有するエアーフォイル。
【請求項３】
内面と、
前記内面に対向する外面であって、正圧面、該正圧面に対向する負圧面、前記正圧面と前記負圧面との間の淀み線、及び前記正圧面と前記負圧面との間にあり且つ前記淀み線より下流にある後縁を含んでいる外面と、
前記正圧面、負圧面、淀み線又は後縁の内の少なくとも１つに設けられた複数の溝セグメントであって、各溝セグメントが、前記外面の一部を含む１以上の壁により、半径方向に隣接する溝セグメントから隔てられている、複数溝セグメントと、
前記溝セグメントに設けられた単一の冷却通路であって、前記内面から前記外面へ流体連通させる単一の冷却通路と、
を有するエアーフォイル。
【請求項４】
内面と、
前記内面に対向する外面であって、正圧面、該正圧面に対向する負圧面、前記正圧面と前記負圧面との間の淀み線、及び前記正圧面と前記負圧面との間にあり且つ前記淀み線より下流にある後縁を含んでいる外面と、
前記外面に隣接するプラットフォーム又は側壁の少なくとも一方と、
前記プラットフォーム又は側壁に設けられた複数の溝セグメントであって、各溝セグメントが、前記外面の一部を含む１以上の壁により、半径方向に隣接する溝セグメントから隔てられている、複数溝セグメントと、
各溝セグメントに設けられた単一の冷却通路と、
を有するエアーフォイル。
【請求項５】
少なくとも１つの溝セグメントが正圧面と負圧面との間の前記淀み線上に少なくとも部分的に配置されている、請求項１乃至４のいずれかに記載のエアーフォイル。
【請求項６】
少なくとも２つの隣り合った溝セグメントが互いに対して食違い配置されている、請求項１乃至５のいずれかに記載のエアーフォイル。
【請求項７】
少なくとも２つの隣り合った溝セグメントが異なる長さを持っている、請求項１乃至６のいずれかに記載のエアーフォイル。
【請求項８】
少なくとも１つの溝セグメントが弓形の形状である、請求項１乃至７のいずれかに記載のエアーフォイル。
【請求項９】
少なくとも１つの溝セグメントが、該少なくとも１つの溝セグメントの長さに沿って変化する寸法を持っている、請求項１乃至８のいずれかに記載のエアーフォイル。
【請求項１０】
少なくとも１つの溝セグメントが、減少する寸法を持ち、該少なくとも１つの溝セグメントの中の前記単一の冷却通路が該減少する寸法へ向かって斜めに形成されている、請求項１乃至９のいずれかに記載のエアーフォイル。
【請求項１１】
隣り合った溝セグメントの中のそれぞれの前記単一の冷却通路が互いからずれている、請求項１乃至１０のいずれかに記載のエアーフォイル。
【請求項１２】
各々の単一の冷却通路は、前記内面で終端する第１の部分と、前記外面で終端する第２の部分とを有し、前記第１の部分は円筒形であり、また前記第２の部分は円錐形又は球形である、請求項１乃至１１のいずれかに記載のエアーフォイル。
【請求項１３】
プラットフォーム溝セグメントを備えるプラットフォームを有している請求項１乃至１２のいずれかに記載のエアーフォイル。
【請求項１４】
各々の単一の冷却通路は、円筒形の第１の部分と、円錐形又は球形の第２の部分とを有している、請求項１乃至１３のいずれかに記載のエアーフォイル。
【手続補正書】
【提出日】平成28年3月4日(2016.3.4)
【手続補正１】
【補正対象書類名】明細書
【補正対象項目名】００３９
【補正方法】変更
【補正の内容】
【００３９】
更に、図１１（Ａ）に示すように、補強部１３，１３は、剪断部１１，１１の先端部に、剪断部１１，１１の厚さ方向の両側に張り出すように、補強部１３，１３を構成する平板状の補強板を溶接接合し、先端形状がＴ字状を成すようにしても良い。また、図１１（Ｂ）に示すように、補強部１３，１３は、平板状の補強板を外側にのみ張り出すように溶接接合し、先端形状がＬ字状を成すようにしても良い。なお、図１１（Ｂ）の補強部１３，１３は、剪断部１１，１１の先端部を折り曲げて形成するようにしても良い。更に、図１１（Ｃ）に示すように、剪断部１１，１１の先端部よりやや基端側に、補強部１３，１３を構成する補強板を外側に張り出すように溶接接合するようにしても良い。更に、図１１（Ｄ）に示すように、補強部１３，１３は、外側に張り出すように形成される際、剪断部１１，１１と成す角が、図１１（Ａ）−（Ｃ）の直角の場合と異なり、鋭角となるようにしても良い。勿論、この例の変形例として、補強部１３，１３と剪断部１１，１１とが成す角を鈍角とすることもできる。更に、図１１（Ｅ）に示すように、補強部１３，１３と剪断部１１，１１とが成す角を円弧面で構成するようにしても良い。
【手続補正２】
【補正対象書類名】明細書
【補正対象項目名】００４３
【補正方法】変更
【補正の内容】
【００４３】
［９．弾塑性履歴型ダンパの具体的な構成例の説明］
図２０（Ａ）及び（Ｂ）の例は、図５に示した馬蹄型の弾塑性履歴型ダンパ１０の剪断部１１，１１の先端部に、先端よりやや基端側に、外側に張り出すように平板状の補強板を形成し、補強部１３，１３としても良い（図１１（Ｃ）参照）。図２１（Ａ）及び（Ｂ）の例は、平板状の連結部１２に、剪断部１１，１１を略平行に形成し、剪断部１１，１１の基端部から先端部に亘って間隔を一定にしても良い。この際、剪断部１１，１１の先端部には、外側に張り出す補強部１３，１３を溶接接合によって形成しても良い。勿論、補強部１３，１３は、溶接ではなく、剪断部１１，１１の先端部を折り曲げて形成しても良い。また、連結部１２は、剪断部１１，１１の基端部より外側にはみ出した部分が補強部１７，１７となる。なお、補強部１３，１３と剪断部１１，１１とが成す角は、直角だけでなく、鋭角でも鈍角でも良い。図２２（Ａ）及び（Ｂ）の例は、全体を略Ｖ字状に形成し、剪断部１１，１１を連結する連結部１２を鋭角とし、剪断部１１，１１の先端部に、外側に張り出すように補強部１３，１３を形成している。ここでの補強部１３，１３は、溶接接合でも良いが、曲げ加工によって形成されている。
【手続補正３】
【補正対象書類名】明細書
【補正対象項目名】００４６
【補正方法】変更
【補正の内容】
【００４６】
図２５（Ａ）及び（Ｂ）の例では、二つの剪断部１１，１１に、剪断部１１，１１とベースプレート１４との接合部及び／又は剪断部１１とプレート１５との接合部となる側縁部を切り欠いた孔部２１が断続して複数形成されている。孔部２１は、ベースプレート１４との接合部及び／又はプレート１５との接合部に形成されることで、ベースプレート１４との接合部及び／又はプレート１５との溶接部分を減らすことが出来る。また、剪断部１１，１１は、複数の孔部２１が形成されることによって、例えば剪断部１１，１１に低降伏点鋼を用いなくても、通常の鋼材で低降伏点鋼のような剪断変形をさせることが出来る。なお、孔部２１の形状は、凹字型、半円型等どの様な形状であっても良い。また、孔部２１の数や大きさは、用途に応じて適宜決定すればよい。また、孔部２１は、剪断部１１，１１の連結部１２及び／又は補強部１３との境界の部分に形成するようにしても良い。
【手続補正４】
【補正対象書類名】明細書
【補正対象項目名】００４８
【補正方法】変更
【補正の内容】
【００４８】
図２７（Ａ）及び（Ｂ）も、図２５及び図２６の変形例であり、剪断部１１，１１とベースプレート１４との接合部及び／又は剪断部１１とプレート１５との接合部の一部となるコーナ部に、孔部２３を形成するようにしている。このような図２７の例によっても、ベースプレート１４との接合部及び／又はプレート１５との溶接部分を減らすことが出来、また、剪断部１１，１１に低降伏点鋼を用いなくても、通常の鋼材で低降伏点鋼のような剪断変形をさせることが出来る。なお、孔部２３を設ける位置は、これら四カ所のうち少なくとも一カ所に設けるようにすれば、特に限定されるものではない。例えば、上二個でも良いし、下二個であっても良いし、前面側二個でも良いし、背面側二個でも良い。また、孔部２３の形状は、扇状に限定されるものではなく、例えば矩形状であっても良い。
【手続補正５】
【補正対象書類名】明細書
【補正対象項目名】００７１
【補正方法】変更
【補正の内容】
【００７１】
１  上部構造物、１ａ  主桁、１ｂ  横桁、２  下部構造物、３  支承装置、３ａ  固定支承装置、３ｂ  可動支承装置、４  下部フランジ、１０  弾塑性履歴型ダンパ、１１（１１ａ，１１ｂ）  剪断部、１２  連結部、１２ａ  連結片、１２ｂ  円筒体、１２ｃ  補強片、１２ｄ  補強片、１３  補強部、１３ａ  補強片、１３ｂ  補強部、１３ｃ  補強部、１４  ベースプレート、１５  プレート、１５ａ  端面、１６  ストッパ、１７  補強部、１７ａ  補強片、１７ｂ  補強片、２１−２５  孔部、５１  構造物のフレーム横梁や橋梁の横支材等（横フレーム）、５２  ガセットプレート、５３  ブレース材、５４  縦フレーム
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
ａ．内面と、
ｂ．前記内面とは反対側の外面であって、正圧側面と、前記正圧側面とは反対側の負圧側面と、前記正圧側面と前記負圧側面との間にあるよどみ線と、前記正圧側面と前記負圧側面との間、かつ前記よどみ線の下流にある後縁とを備える、外面と、
ｃ．前記外面にある複数のトレンチ区画であって、各トレンチ区画は、前記外面の一部を含む壁によって、径方向に隣接するトレンチ区画から仕切られ、各トレンチ区画が、前記外面の長さの５０％未満で延在する、トレンチ区画と、
ｄ．各トレンチ区画内にある冷却通路であって、各冷却通路が、前記内面から前記外面への流体連通を実現する、冷却通路と、
を備える、エーロフォイル。
【請求項２】
少なくとも１つのトレンチ区画が、前記正圧側面と前記負圧側面との間にある前記よどみ線に少なくとも部分的に配置される、請求項１に記載のエーロフォイル。
【請求項３】
隣接する少なくとも２つのトレンチ区画が、互い違いになっている、請求項１に記載のエーロフォイル。
【請求項４】
隣接する少なくとも２つのトレンチ区画が、異なる長さを有する、請求項１に記載のエーロフォイル。
【請求項５】
少なくとも１つのトレンチ区画が、弓形である、請求項１に記載のエーロフォイル。
【請求項６】
少なくとも１つのトレンチ区画が、前記少なくとも１つのトレンチ区画の長さに沿って変動する寸法を有する、請求項１に記載のエーロフォイル。
【請求項７】
少なくとも１つのトレンチ区画が、増大する寸法を有し、前記少なくとも１つのトレンチ区画内にある少なくとも１つの冷却通路が、前記増大する寸法に向けて角度が付いている、請求項１に記載のエーロフォイル。
【請求項８】
隣接するトレンチ区画内にある冷却通路が、互いにずれている、請求項１に記載のエーロフォイル。
【請求項９】
各冷却通路が、前記内面で終端する第１の区画と、前記外面で終端する第２の区画とを備え、前記第１の区画が円筒形状を有し、前記第２の区画が円錐または球形形状を有する、請求項１に記載のエーロフォイル。
【請求項１０】
ａ．プラットフォームと、
ｂ．前記プラットフォームに連結された外面と、
ｃ．前記外面にある複数のトレンチ区画であって、各トレンチ区画は、前記外面の一部を含む壁によって、径方向に隣接するトレンチ区画から仕切られ、各トレンチ区画が、前記外面の長さの５０％未満で延在する、トレンチ区画と、
ｄ．各トレンチ区画内にある冷却通路であって、各冷却通路が、前記外面に冷却媒体を供給する、冷却通路と、
を備える、エーロフォイル。
【請求項１１】
前記外面にあるよどみ線をさらに備え、少なくとも１つのトレンチ区画が、前記よどみ線に少なくとも部分的に配置される、請求項１０に記載のエーロフォイル。
【請求項１２】
隣接する少なくとも２つのトレンチ区画が、互い違いになっている、請求項１０に記載のエーロフォイル。
【請求項１３】
隣接する少なくとも２つのトレンチ区画が、異なる長さを有する、請求項１０に記載のエーロフォイル。
【請求項１４】
少なくとも１つのトレンチ区画が、弓形である、請求項１０に記載のエーロフォイル。
【請求項１５】
少なくとも１つのトレンチ区画が、前記少なくとも１つのトレンチ区画の長さに沿って変動する寸法を有する、請求項１０に記載のエーロフォイル。
【請求項１６】
少なくとも１つのトレンチ区画が、増大する寸法を有し、前記少なくとも１つのトレンチ区画内にある少なくとも１つの冷却通路が、前記増大する寸法に向けて角度が付いている、請求項１０に記載のエーロフォイル。
【請求項１７】
前記プラットフォーム内にプラットフォームトレンチ区画をさらに備える、請求項１０に記載のエーロフォイル。
【請求項１８】
隣接するトレンチ区画内にある冷却通路が、互いにずれている、請求項１０に記載のエーロフォイル。
【請求項１９】
各冷却通路が、円筒形状を有する第１の区画と、円錐形状を有する第２の区画とを備える、請求項１０に記載のエーロフォイル。
【請求項２０】
ａ．内面と、
ｂ．前記内面とは反対側の外面であって、正圧側面と、前記正圧側とは反対側の負圧側面と、前記正圧側面と前記負圧側面との間にあるよどみ線と、前記正圧側面と前記負圧側面との間、かつ前記よどみ線の下流にある後縁とを備える、外面と、
ｃ．前記正圧側面、前記負圧側面、前記よどみ線、または前記後縁のうちの少なくとも１つにある複数のトレンチ区画であって、各トレンチ区画は、前記外面の一部を含む壁によって、径方向に隣接するトレンチ区画から仕切られ、各トレンチ区画は、前記外面の長さの５０％未満で延在する、トレンチ区画と、
ｄ．前記トレンチ区画内にある冷却通路であって、前記内面から前記外面への流体連通を実現する、冷却通路と、
を備える、エーロフォイル。
【請求項２１】
ａ．内面と、
ｂ．前記内面とは反対側の外面であって、正圧側面と、前記正圧側面とは反対側の負圧側面と、前記正圧側面と前記負圧側面との間にあるよどみ線と、前記正圧側面と前記負圧側面との間、かつ前記よどみ線の下流にある後縁とを備える、外面と、
ｃ．前記外面に隣接したプラットフォームまたは側壁のうちの少なくとも１つと、
ｄ．前記プラットフォームまたは前記側壁にある複数のトレンチ区画であって、各トレンチ区画は、前記外面の一部を含む壁によって、径方向に隣接するトレンチ区画から仕切られ、各トレンチ区画が、前記外面の長さの５０％未満で延在する、トレンチ区画と、
ｅ．各トレンチ区画内にある冷却通路と、
を備える、エーロフォイル。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
ターボ機械のロータホイール（３０）であって、
中心線を有する外径面（４５）でつながった第１の面（４２）及び対向する第２の面（４３）を有するロータホイール本体（４０）と、
前記外径面（４５）に形成され、前記ロータホイール本体（４０）の周囲に延在するブレード受入スロット（６０）であって、前記外径面（４５）を、第１の面（４２）に隣接して第１の寸法（６２）を有する第１の表面セクション（６１）と、第２の面（４３）に隣接して第１の寸法（６２）よりも大きい第２の寸法（６４）を有する第２の表面セクション（６３）とに分割するブレード受入スロット（６０）と、
前記外径面（４５）に形成されたブレード装荷スロット（８０）であって、該ブレード装荷スロット（８０）が、前記ブレード受入スロット（６０）と接続しかつ該ブレード受入スロット（６０）からオフセットしていて、第１の表面セクション（６１）に第１の距離で延在し、第２の表面セクション（６３）に第１の距離よりも大きい第２の距離で延在している、ブレード装荷スロット（８０）と
を備える、ロータホイール（３０）。
【請求項２】
前記外径面（４５）に形成された第１及び第２のブレードロックスロット（９４，９５）を更に備えており、第１のブレードロックスロット（９４）と第２のブレードロックスロット（９５）が、前記ブレード受入スロット（６０）に接続していて前記ブレード装荷スロット（８０）で隔てられている、請求項１記載のロータホイール（３０）。
【請求項３】
第１及び第２のブレードロックスロット（９４，９５）の各々が、第１の表面セクション（６１）よりも第２の表面セクション（６３）により大きく延在している、請求項２記載のロータホイール（３０）。
【請求項４】
第１及び第２のブレードロックスロット（９４，９５）にそれぞれ配設された第１及び第２のブレードロック部材（１１４，１１６）を更に備える、請求項３記載のロータホイール（３０）。
【請求項５】
前記ブレード受入スロット（６０）内に装着された複数のブレード（２６）を更に備える、請求項１乃至請求項４のいずれか１項記載のロータホイール（３０）。
【請求項６】
圧縮機部分（４）と、
圧縮機部分（４）と機械的に連結したタービン部分（６）と、
圧縮機部分（４）及びタービン部分（６）と流体接続した燃焼器組立体（８）と、
圧縮機部分（４）及びタービン部分（６）の一方に装着された請求項１乃至請求項５のいずれか１項記載のロータホイール（３０）と
を備えるターボ機械（２）。
【請求項７】
前記ロータホイール（３０）が圧縮機部分（４）に装着され、第１の面（４２）及び第２の面（４３）の一方が上流側面を構成し、第１の面（４２）及び第２の面（４３）の他方が下流側面を構成し、下流側面が上流側面よりも大きな応力を有し、前記ブレード装荷スロット（８０）が、下流側面からオフセットして前記ロータホイール本体（４０）の応力を均衡させる、請求項６記載のターボ機械。
【請求項８】
前記ロータホイール（３０）がタービン部分（６）に装着され、第１の面（４２）及び第２の面（４３）の一方が上流側面を構成し、第１の面（４２）及び第２の面（４３）の他方が下流側面を構成し、上流側面が下流側面よりも大きな応力を有し、前記ブレード装荷スロット（８０）が、上流側面からオフセットして前記ロータホイール本体（４０）の応力を均衡させる、請求項６記載のターボ機械。
【手続補正書】
【提出日】平成28年2月15日(2016.2.15)
【手続補正１】
【補正対象書類名】明細書
【補正対象項目名】発明の名称
【補正方法】変更
【補正の内容】
【発明の名称】タッチパネル
【手続補正２】
【補正対象書類名】特許請求の範囲
【補正対象項目名】全文
【補正方法】変更
【補正の内容】
【特許請求の範囲】
【請求項１】
複数の画素と、
前記複数の画素の少なくとも一つに隣り合うフォトセンサと、を有するタッチパネルであり、
前記フォトセンサは、受光素子と、第１のトランジスタ乃至第４のトランジスタと、を有し、
前記受光素子は、非単結晶半導体層と、前記非単結晶半導体層を挟持する一対の電極と、を有し、
前記第１のトランジスタ乃至前記第４のトランジスタは、それぞれ、チャネルを形成する、酸化物半導体層を有し、
前記一対の電極の一方は、電源線と電気的に接続され、
前記第１のトランジスタのゲートは、信号線と電気的に接続され、
前記第１のトランジスタのソース又はドレインの一方は、前記一対の電極の他方と電気的に接続され、
前記第２のトランジスタのゲートは、リセット線と電気的に接続され、
前記第２のトランジスタのソース又はドレインの一方は、前記第１のトランジスタのソース又はドレインの他方と電気的に接続され、
前記第２のトランジスタのソース又はドレインの他方は、グランド線と電気的に接続され、
前記第３のトランジスタのゲートは、前記第２のトランジスタのソース又はドレインの一方と電気的に接続され、
前記第３のトランジスタのソース又はドレインの一方は、前記第４のトランジスタのソース又はドレインの他方と電気的に接続され、
前記第３のトランジスタのソース又はドレインの他方は、電源線と電気的に接続され、
前記第４のトランジスタのゲートは、選択線と電気的に接続され、
前記第４のトランジスタのソース又はドレインの一方は、フォトセンサ出力信号線と電気的に接続されている
ことを特徴とするタッチパネル。
【請求項２】
複数の画素と、
前記複数の画素の少なくとも一つに隣り合うフォトセンサと、を有するタッチパネルであり、
前記フォトセンサは、受光素子と、第１のトランジスタ乃至第４のトランジスタと、を有し、
前記受光素子は、非単結晶半導体層と、前記非単結晶半導体層を挟持する一対の電極と、を有し、
前記第１のトランジスタ乃至前記第４のトランジスタは、それぞれ、チャネルを形成する、酸化物半導体層を有し、
前記一対の電極の一方は、グランド線と電気的に接続され、
前記第１のトランジスタのゲートは、信号線と電気的に接続され、
前記第１のトランジスタのソース又はドレインの一方は、前記一対の電極の他方と電気的に接続され、
前記第２のトランジスタのゲートは、リセット線と電気的に接続され、
前記第２のトランジスタのソース又はドレインの一方は、前記第１のトランジスタのソース又はドレインの他方と電気的に接続され、
前記第２のトランジスタのソース又はドレインの他方は、電源線と電気的に接続され、
前記第３のトランジスタのゲートは、前記第２のトランジスタのソース又はドレインの一方と電気的に接続され、
前記第３のトランジスタのソース又はドレインの一方は、前記第４のトランジスタのソース又はドレインの他方と電気的に接続され、
前記第３のトランジスタのソース又はドレインの他方は、電源線と電気的に接続され、
前記第４のトランジスタのゲートは、選択線と電気的に接続され、
前記第４のトランジスタのソース又はドレインの一方は、フォトセンサ出力信号線と電気的に接続されている
ことを特徴とするタッチパネル。
【請求項３】
請求項１又は請求項２において、
前記複数の画素は、それぞれ、第５のトランジスタと、液晶素子と、保持容量と、を有することを特徴とするタッチパネル。
【請求項４】
請求項３において、
前記液晶素子は、一対の端子と、前記一対の端子の間の液晶層と、を有し、
前記一対の端子の一方は、反射性を有する導電膜であり、
前記第５のトランジスタのソース又はドレインの一方と電気的に接続され、
前記一対の端子の他方は、透光性を有する導電膜であることを特徴とするタッチパネル。
【請求項５】
請求項３において、
前記液晶素子は、一対の端子と、前記一対の端子の間の液晶層と、を有し、
前記一対の端子の一方は、前記第５のトランジスタのソース又はドレインの一方と電気的に接続され、
前記一対の端子は、いずれも、透光性を有する導電膜であることを特徴とするタッチパネル。
【請求項６】
請求項１乃至請求項５のいずれか一項において、
前記非単結晶半導体層は、アモルファスシリコン層を有することを特徴とするタッチパネル。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
少なくとも１つの補正行列を提供することを含む、補正パラメータの少なくとも１つの集合を提供することと、
検出したナンバープレートを表す入力画像を受け取ることと、
前記入力画像を受け取ることに呼応して、前記少なくとも１つの補正行列を用いて補正済みの画像を得るために前記入力画像を自動的に調節することと、
を含み、
前記少なくとも１つの補正行列を提供することは、
四隅のｘ，ｙ座標の間の差を計算することにより特徴集合を決定することと、
前記特徴集合の元のプレートの形状行列Ｖｉを決定することと、
理想的な長方形プレートの高さと幅とによりＤ行列のベクトルが定義される理想的なプレート形状Ｄを決定することと、
補正済みのプレート形状ＣＶｉを決定することと、
前記補正済みのプレート形状ＣＶｉから前記理想的なプレート形状Ｄを差し引くこと（ＣＶｉ−Ｄ）により、前記補正済みのプレート形状と、前記理想的なプレート形状の間の距離を決定することと、
前記ナンバープレートに対するすべての行列エントリの合計を二乗することにより前記補正パラメータの少なくとも１つの集合を決定することと、
を含む、記録された画像内で検出したナンバープレートを調節する方法。
【請求項２】
前記調節することが、
前記補正パラメータの第１の集合を適用した後に、傾斜配向されたプレートが検出されたかどうかを判断することと、
前記傾斜配向されたプレートと判断されないことに呼応して、垂直配向されたプレートに対応する補正パラメータの少なくとも第２の集合を適用することと、
をさらに含む、請求項１に記載のナンバープレートを調節する方法。
【請求項３】
前記調節することが、
前記入力画像が正面プレートを含むとき、前記補正パラメータの１つの集合を適用することと、
前記入力画像が背面プレートを含むとき、２つの行列を適用することと、
を含む、請求項１に記載のナンバープレートを調節する方法。
【請求項４】
前記調節することが、
前記入力画像内の前記検出したプレートを所定の寸法に拡大縮小することと、
前記入力画像内の前記検出したプレートを調節して、ひずみを補正することと、
を含む、請求項１に記載のナンバープレートを調節する方法。
【請求項５】
前記補正パラメータの少なくとも１つの集合を提供することは、
イメージ・キャプチャ・デバイスを提供することと、
前記イメージ・キャプチャ・デバイスが記録したＮ枚のナンバープレートの画像を受け取ることと、
前記画像内に記録された各ナンバープレートの四隅の各々のｘ，ｙ座標を決定することと、
各画像のための補正パラメータの集合を決定することと、
を含む、請求項１に記載のナンバープレートを調節する方法。
【手続補正２】
【補正対象書類名】明細書
【補正対象項目名】発明の名称
【補正方法】変更
【補正の内容】
【発明の名称】ナンバープレートを調節する方法
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
自然風景の電子画像内のテキストを自動的に検出する、コンピュータで実行する方法であって、
分析のための電子画像を受信するステップと、
前記電子画像でエッジ検出アルゴリズムを実行するステップと、
検出されたエッジに応じて、前記電子画像内の閉曲線を特定するステップと、
閉要素間のリンクを確立するステップと、
前記特定された閉曲線に応じて、候補テキスト線を特定するステップと、
前記候補テキスト線を、テキスト領域又は非テキスト領域として分類するステップと、
前記電子画像内の前記テキスト領域を、グラフィカル・ユーザ・インターフェースを介してユーザに出力するステップと、
を含み、
前記候補テキスト線を特定するステップは、
検討するためのリンクを選択する第１のステップと、
前記リンクにより接続された第１の閉曲線及び第２の閉曲線のそれぞれの中央を接続する直線を合わせる第２のステップと、
前記第１の閉曲線及び前記第２の閉曲線の各々に関して、前記選択されたリンク以外の全ての関連するリンクを特定し、前記関連するリンクのうちの１つに付く第３の閉曲線を選択する第３のステップと、
前記第３の閉曲線を含めることにより、前記第１の閉曲線、前記第２の閉曲線、及び前記第３の閉曲線を接続する前記合わせた線を再度合わせる第４のステップと、
所定の閾値Ｔｆより短い距離を有する中央を含む閉曲線が、全て前記候補テキスト線に加えられるまで前記第１のステップ〜前記第４のステップを繰り返す第５のステップと、
を更に含む、
テキストを自動的に検出する方法。
【請求項２】
前記閉曲線を特定するステップは、
潜在的な閉曲線の開口先端を特定するステップと、
閾値Ｔｏｐｅｎより短い距離で隔てられた全ての２つの開口先端を接続させてエッジを形成するステップと、
前記潜在的な閉曲線内に開口先端がなくなるまで、残っている全ての開口先端を浸食させるステップと、
１つ以上の閉曲線を出力するステップと、
を更に含む、請求項１に記載のテキストを自動的に検出する方法。
【請求項３】
１つ以上の誤って接続された閉曲線を検出するステップと、
前記１つ以上の誤って接続された閉曲線を切断するステップと、
を更に含む、請求項２に記載のテキストを自動的に検出する方法。
【請求項４】
前記閉曲線を切断するステップは、
連結成分アルゴリズムを実行して、閉要素に隣接するエッジ画素と、２つの背景画素領域を隔てるエッジ画素とを区別するステップと、
前記２つの背景画素領域を隔て且つ前記閉要素に隣接しないエッジ画素を取り除くステップと、
を更に含む、請求項３に記載のテキストを自動的に検出する方法。
【請求項５】
前記閉要素間のリンクを確立するステップは、
２つの閉曲線の中央間の距離が第１の閾値Ｔｄより短いかどうかを判定するステップと、
前記２つの閉曲線間の高さの割合に第２の閾値を適用するステップと、
画素の色に制約を適用し、これにより、隣接する閉曲線の背景画素どうしが互いに類似し、且つ、テキスト画素どうしが互いに類似するステップと、
を更に含む、請求項１に記載のテキストを自動的に検出する方法。
【手続補正２】
【補正対象書類名】明細書
【補正対象項目名】発明の名称
【補正方法】変更
【補正の内容】
【発明の名称】テキストを自動的に検出する方法
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
ターボ機械用のアライメントピンであって、当該アライメントピンが、
前記ターボ機械におけるダイアフラムスロットに係合する中空ヘッドセクションであって、前記ターボ機械のケーシング壁の表面と係合するリップを含んでいるとともに、内部スロットを有する中空ヘッドセクションと、
前記中空ヘッドに接続した拡張可能スリーブセクションであって、前記ターボ機械におけるケーシングスロットに係合するサイズの拡張可能スリーブセクションと
を備えており、前記リップが、前記ダイアフラムスロット内に中空ヘッドセクション及び前記ケーシングスロット内に拡張可能スリーブセクションを保持し、前記拡張可能スリーブセクションが、当該アライメントピンに挿入したときに前記ケーシングスロット内の拡張可能スリーブセクションを拡張させる拡張部材を収めるための内側アパーチャを含んでおり、前記中空ヘッドセクションと前記拡張可能スリーブセクションとが実質的に一体構造である、アライメントピン。
【請求項２】
前記拡張可能スリーブセクションの内側アパーチャと前記中空ヘッドセクションの内部スロットとが流体接続している、請求項１記載のアライメントピン。
【請求項３】
前記拡張可能スリーブセクションが、外側表面と、該外側表面に沿った１以上のギャップとを含み、該１以上のギャップが、前記拡張可能スリーブセクションの拡張用に設けられている、請求項１又は請求項２記載のアライメントピン。
【請求項４】
ターボ機械用の位置合わせ装置であって、当該位置合わせ装置が、
前記ターボ機械におけるダイアフラムスロットに係合する中空ヘッドであって、前記ターボ機械のケーシング壁の表面と係合するリップを含んでいるとともに、内部スロットを有する中空ヘッドと、
前記中空ヘッドに接続した拡張可能スリーブ部材であって、内側アパーチャを有していて、前記ターボ機械におけるケーシングスロットに係合するサイズの拡張可能スリーブ部材と、
前記拡張可能スリーブ部材の内側アパーチャ内の拡張部材であって、該拡張部材を前記拡張可能スリーブ部材に挿入したときに前記拡張可能スリーブ部材を押し広げて前記ケーシングスロット内で前記拡張可能スリーブ部材の外径を変更する拡張部材と
を備ええており、前記中空ヘッドと前記拡張可能スリーブ部材とが実質的に一体構造である、位置合わせ装置。
【請求項５】
前記拡張可能スリーブ部材が、前記中空ヘッドの中空部分と流体接続されたテーパ付きスロットを含む、請求項４記載の位置合わせ装置。
【請求項６】
前記拡張部材が、前記テーパ付きスロット及び前記中空ヘッドの中空部分に係合するサイズのテーパ付き拡張部材を含む、請求項５記載の位置合わせ装置。
【請求項７】
前記テーパ付き拡張部材がネジ付きスクリュー部材を含み、前記中空ヘッドの中空部分が、前記ネジ付きスクリュー部材と嵌合するネジ付き表面を含む、請求項６記載の位置合わせ装置。
【請求項８】
ターボ機械であって、
タービンダイアフラムセグメントと、
前記タービンダイアフラムセグメントを実質的に収容するタービンダイアフラムセグメントと、
前記タービンダイアフラムセグメントを前記タービンケーシングセグメントと位置合わせする請求項１乃至請求項３のいずれか１項記載のアライメントピンと、
前記アライメントピンの拡張可能スリーブセクションの内側アパーチャ内に挿入された拡張部材と
を備える、ターボ機械。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
ユーザの状態を検出するステップと、
前記ユーザの環境内の刺激を検出するステップと、
前記ユーザの前記検出された状態および前記環境内の前記検出された刺激に基づいて、可変レベルの支援を前記ユーザに提供するステップと
を含むことを特徴とするコンピュータベースの方法。
【請求項２】
前記ユーザの前記環境内の前記刺激を検出するステップは、視覚的刺激、聴覚的刺激、身体的刺激、振動性刺激、電磁的刺激、嗅覚的刺激、温度刺激、および運動刺激のうちの少なくとも１つを検出するステップを含むことを特徴とする請求項１に記載のコンピュータベースの方法。
【請求項３】
前記ユーザの前記状態を検出するステップは、前記ユーザが話す自然言語を検出するステップを含むことを特徴とする請求項１に記載のコンピュータベースの方法。
【請求項４】
前記ユーザの能力のレベルを判断するステップと、
能力の前記判断されたレベルに基づいて、前記可変レベルの支援を調整するステップと
をさらに含むことを特徴とする請求項１に記載のコンピュータベースの方法。
【請求項５】
可変レベルの支援を提供するステップは、
第１のレベルの支援に関して、没入型仮想現実をディスプレイに提供するステップと、
第２のレベルの支援に関して、拡張された仮想現実を提供するステップと、
第３のレベルの支援に関して、わずかに拡張された現実を提供するステップと
を含むことを特徴とする請求項１に記載のコンピュータベースの方法。
【請求項６】
前記没入型仮想現実、拡張された仮想現実、またはわずかに拡張された現実の前記環境内の前記検出された刺激を前記ユーザに警告するステップをさらに含むことを特徴とする請求項５に記載のコンピュータベースの方法。
【請求項７】
前記没入型仮想現実内にコンテンツを執筆するステップをさらに含み、可変レベルの支援を提供するステップは、前記執筆されたコンテンツをさらに提供することを特徴とする請求項５に記載のコンピュータベースの方法。
【請求項８】
前記可変レベルの支援を提供するステップは、前記ユーザを訓練して、より低いレベルの支援を必要とさせるステップを含むことを特徴とする請求項１に記載のコンピュータベースの方法。
【請求項９】
可変レベルの支援を前記ユーザに提供するステップは、個人的な安全訓練またはチームの安全訓練を提供するステップを含むことを特徴とする請求項１に記載のコンピュータベースの方法。
【請求項１０】
可変レベルの支援を前記ユーザに提供するステップは、前記ユーザのデジタルフットプリントを解析して、技能のレベルを判断し、技能の前記判断されたレベルに基づいて、提供された可変レベルの支援を修正するステップを含むことを特徴とする請求項１に記載のコンピュータベースの方法。
【請求項１１】
前記検出された刺激から判断された肯定的な推論および否定的な推論を前記ユーザに警告するステップをさらに含むことを特徴とする請求項１に記載のコンピュータベースの方法。
【請求項１２】
前記検出された環境のリスク評価に基づいて、指示を前記ユーザに提供するステップをさらに含むことを特徴とする請求項１に記載のコンピュータベースの方法。
【請求項１３】
前記検出された刺激内の異常を識別するステップと、
前記異常に関する補足情報を判断するステップと、
前記異常の存在および前記判断された補足情報を前記ユーザに警告するステップと
をさらに含むことを特徴とする請求項１に記載のコンピュータベースの方法。
【請求項１４】
ユーザの状態を検出するように構成されたユーザ状態検出モジュールと、
前記ユーザの環境内の刺激を検出するように構成された環境刺激検出モジュールと、
前記ユーザの前記検出された状態および前記環境内の前記検出された刺激に基づいて、可変レベルの支援を前記ユーザに提供するように構成された支援モジュールと
を備えることを特徴とするシステム。
【請求項１５】
ユーザに対する事前に設定された支援のレベルを記憶するように構成されたメモリ領域と、
前記メモリ領域に結合されたプロセッサであって、
ユーザの状態を検出し、
前記ユーザの環境内の刺激を検出し、
前記ユーザの前記検出された状態および前記環境内の前記検出された刺激に基づいて、前記事前に設定された支援のレベルのうちの少なくとも１つを前記ユーザに提供する
ように構成されたプロセッサと、
前記事前に設定された支援のレベルのうちの前記少なくとも１つを前記ユーザに提供するように構成されたディスプレイおよびスピーカのうちの少なくとも１つを含む装着可能モジュールと
を備えることを特徴とする装置。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
印刷に有用な装置であって
第１の表面を有する第１の部材と、
前記第１の部材の前記第１の表面に接触する第１の部分を有するベルトと、
ニップを画定する領域において、前記ベルトの第２の部分に接触する第２の表面を有する第２の部材と、
プロセス方向の前記ニップの下流に位置合わせされる剥離装置であって、前記ベルトの前記第１の部分の１つ以上の選択されたセクションに２つ以上の予め決められた可変圧力を選択的に加えて１つ以上の選択可能な剥離半径を生じさせるように構成される２つ以上の調整可能なブレードを備え、前記２つ以上の予め決められた可変圧力が、少なくとも部分的に、前記２つ以上の調整可能ブレードのうちの１つまたはそれ以上を選択的に作動することによって制御される、剥離装置と、
１つ以上のコンポーネントを備える２つ以上の支点システムであって、前記２つ以上の予め決められた可変圧力を生じさせる前記２つ以上のブレードの下降度がさらに、少なくとも部分的に、前記２つ以上の支点システムのうちの少なくとも２つの前記１つ以上のコンポーネントの移動によって制御され、前記２つ以上の予め決められた可変圧力がさらに、少なくとも部分的に、前記２つ以上の支点システムの１つ以上のコンポーネントの２つ以上の材料タイプの決定を基礎として制御される、２つ以上の支点システムとを含む装置。
【請求項２】
前記２つ以上の予め決められた可変圧力がさらに、少なくとも部分的に、前記２つ以上の調整可能ブレードの２つ以上の材料の決定を基礎として制御される、請求項１に記載の装置。
【請求項３】
前記２つ以上の調整可能ブレードのうちの少なくとも１つの調整可能ブレードは、前記２つ以上の調整可能ブレードのうちの別のブレードとは異なる材料を含む、請求項２に記載の装置。
【請求項４】
前記２つ以上の予め決められた可変圧力がさらに、少なくとも部分的に、前記２つ以上の調整可能ブレードの２つ以上のジオメトリの決定を基礎として制御される、請求項１に記載の装置。
【請求項５】
前記２つ以上の予め決められた可変圧力がさらに、少なくとも部分的に、前記２つ以上の支点システムの１つ以上のコンポーネントの２つ以上のジオメトリの決定を基礎として制御される、請求項１に記載の装置。
【請求項６】
前記２つ以上の支点システムのうちの少なくとも１つの支点システムは、前記２つ以上の支点システムのうちの別の支点システムの１つ以上のコンポーネントとは異なる１つ以上の材料からなる１つ以上のコンポーネントを含む、請求項１に記載の装置。
【請求項７】
前記１つ以上の選択可能な剥離半径が、媒体タイプ、媒体ジオメトリ、ベルトジオメトリ、画像タイプ、画像ロケーション、プロセス速度およびプロセスタイミングのうちの１つまたはそれ以上の決定を基礎として選択的に変えられる、請求項１に記載の装置。
【請求項８】
印刷プロセスにおいて基材を剥離するための方法であって、
印刷に有用な装置内にニップを画定するステップであって、前記装置は、
第１の表面を有する第１の部材と、
前記第１の部材の前記第１の表面に接触する第１の部分を有するベルトと、
ニップを画定する領域において、前記ベルトの第２の部分に接触する第２の表面を有する第２の部材と、
プロセス方向の前記ニップの下流に位置合わせされる剥離装置であって、前記ベルトの前記第１の部分の１つ以上の選択されたセクションに２つ以上の予め決められた可変圧力を選択的に加えて１つ以上の選択可能な剥離半径を生じさせるように構成される２つ以上の調整可能なブレードを備える剥離装置と、
を備えるステップと、
少なくとも部分的に、前記１つ以上の選択可能な剥離半径を生じさせるステップと、
少なくとも部分的に、前記ベルトから前記基材を剥離させるステップと、
前記２つ以上の予め決められた可変圧力を、少なくとも部分的に、前記２つ以上の調整可能ブレードのうちの１つまたはそれ以上を選択的に作動することによって制御するステップと、
を含み、前記装置は、さらに、１つ以上のコンポーネントを備える２つ以上の支点システムを備え、
前記方法は、さらに、
少なくとも部分的に、前記２つ以上の予め決められた可変圧力を生じさせる前記２つ以上のブレードの下降度を、前記２つ以上の支点システムのうちの少なくとも１つの前記１つ以上のコンポーネントの移動によって制御するステップと、
前記２つ以上の予め決められた可変圧力を、少なくとも部分的に、前記２つ以上の支点システムの１つ以上のコンポーネントの２つ以上の材料タイプの決定を基礎として制御するステップとを含む方法。
【請求項９】
前記２つ以上の予め決められた可変圧力を、少なくとも部分的に、前記２つ以上の調整可能ブレードの２つ以上の材料の決定を基礎として制御することをさらに含む、請求項８に記載の方法。
【請求項１０】
前記２つ以上の調整可能ブレードのうちの少なくとも１つの調整可能ブレードは、前記２つ以上の調整可能ブレードのうちの別のブレードとは異なる材料を含む、請求項８に記載の方法。
【請求項１１】
前記２つ以上の予め決められた可変圧力を、少なくとも部分的に、前記２つ以上の調整可能ブレードの２つ以上のジオメトリの決定を基礎として制御することをさらに含む、請求項８に記載の方法。
【請求項１２】
前記２つ以上の予め決められた可変圧力を、少なくとも部分的に、前記２つ以上の支点システムの１つ以上のコンポーネントの２つ以上のジオメトリの決定を基礎として制御することをさらに含む、請求項８に記載の方法。
【請求項１３】
前記１つ以上の選択可能な剥離半径を、媒体タイプ、媒体ジオメトリ、ベルトジオメトリ、画像タイプ、画像ロケーション、プロセス速度およびプロセスタイミングのうちの１つまたはそれ以上の決定を基礎として選択的に変えさせることをさらに含む、請求項８に記載の方法。